(57)【要約】【課題】  使用者と、使用者が仰臥する支持面との間に挿入される差込み便器に装着されて、使用者の排泄物を簡便に回収することができる吸収シートを提供する。【解決手段】  支持面と、支持面に仰臥する使用者との間に挿入して、使用者の排泄物を回収するために用いられる差込み便器２であって、排泄物を収容するための凹部３と、凹部３から挿入方向に突出する先細状の差込み案内部４と、を有する差込み便器２に装着される吸収シート１であって、吸収シート１は、凹部３の開口が覆われるように凹部３および差込み案内部４に装着され、排泄物の水分を吸収する本体部１１と、本体部１１の裏面側に折返された状態で連なる折返し片１２と、を有する。本体部１１と折返し片１２との間に、差込み案内部４が挿入された状態で、差込み便器２に装着されてなる。【選択図】    図１
2018139632.tif 000002
【特許請求の範囲】
【請求項１】
支持面と、前記支持面に仰臥する使用者との間に挿入して、使用者の排泄物を回収するために用いられる差込み便器であって、排泄物を収容するための凹部と、前記凹部から挿入方向に突出する先細状の差込み案内部と、を有する差込み便器に装着される吸収シートであって、
前記吸収シートは、
前記凹部の開口が覆われるように前記凹部および前記差込み案内部に装着され、排泄物の水分を吸収する本体部と、
前記本体部に、前記本体部の裏面側に折返された状態で連なる折り返し片と、を有し、
前記本体部と前記折返し片との間に、前記差込み案内部が挿入された状態で、前記差込み便器に装着されてなることを特徴とする吸収シート。
【請求項２】
前記折返し片は、両側部が前記本体部の裏面に固定されていることを特徴とする請求項１に記載の吸収シート。
【請求項３】
前記本体部の前記裏面には、前記凹部の底面に着脱可能に接合する第１の接合部が設けられていることを特徴とする請求項１または２に記載の吸収シート。
【請求項４】
前記本体部の前記裏面には、前記本体部を前記差込み便器の側面に着脱可能に接合する第２の接合部が設けられていることを特徴とする請求項１〜３のいずれか１項に記載の吸収シート。
【請求項５】
前記差込み便器は、前記凹部から挿入方向に対して前記差込み案内部の反対側に設けられた把持部をさらに含み、前記本体部は、前記差込み便器に装着されたとき、前記把持部に重なるように延びていることを特徴とする請求項１〜４のいずれか１つに記載の吸収シート。  
【発明の詳細な説明】
【技術分野】
【０００１】
本発明は、ベッドパンなどとも称される差込み便器に装着して用いられる吸収シートに関する。
【背景技術】
【０００２】
高齢者または怪我や病気をしている非健常者であっても、上体を起こすことができる場合には、介助があれば簡易トイレを用いて用を足すことができるが、上体を起こすことができない場合には、使い捨ておむつが使用されている。使い捨ておむつの使用は、排泄物が長時間肌に触れることになり、使用者にとって不快であり、かぶれ等の原因にもなるので、用を足すとき、排泄物が肌に触れないようにすることが好ましい。
【０００３】
従来、排泄物が肌に触れることによる使用者の不快感を軽減するために、樹脂製の排便用容器を使用することがある。排便用容器は、たとえば中央部に排泄物を収容する窪みが設けられている。介護者が、仰臥している使用者の膝を曲げ、あるいは横向きにさせたりして、使用者の腰部を浮かせ、使用者の腰部と、使用者が寝ている支持面との間に隙間を設け、該隙間に排便用容器を差入れる。介護者は、使用者が排便した後に、排便用容器を引き取り、便を回収して処分し、排便用容器を洗浄、殺菌している（たとえば、特許文献１参照）。
【先行技術文献】
【特許文献】
【０００４】
【特許文献１】実開平６−６３０２０号公報
【発明の概要】
【発明が解決しようとする課題】
【０００５】
前記排便用容器は、使用者の肌に触れるだけでなく、介護者が直接手に取って持ち運び、洗浄、殺菌等を行う必要があるので、使用後の排便用容器の洗浄作業および殺菌作業には注意を要し、手間がかかり、使用者の排泄物を簡便に回収して処分することができないという問題がある。
【０００６】
本発明の目的は、使用者と、使用者が仰臥する支持面との間に挿入される差込み便器に装着されて、使用者の排泄物を簡便に回収して処分することができる吸収シートを提供することである。
【課題を解決するための手段】
【０００７】
本発明の吸収シートは、支持面と、前記支持面に仰臥する使用者との間に挿入して、使用者の排泄物を回収するために用いられる差込み便器であって、排泄物を収容するための凹部と、前記凹部から挿入方向に突出する先細状の差込み案内部と、を有する差込み便器に装着される吸収シートであって、
前記吸収シートは、
前記凹部の開口が覆われるように前記凹部および前記差込み案内部に装着され、排泄物の水分を吸収する本体部と、
前記本体部に、前記本体部の裏面側に折返された状態で連なる折り返し片と、を有し、
前記本体部と前記折返し片との間に、前記差込み案内部が挿入された状態で、前記差込み便器に装着されてなることを特徴とする。
【０００８】
また、本発明の吸収シートは、前記折返し片の両側部が前記本体部の裏面に固定されていることを特徴とする。
【０００９】
また、本発明の吸収シートは、前記本体部の前記裏面に、前記凹部の底面に着脱可能に接合する第１の接合部が設けられていることを特徴とする。
【００１０】
また、本発明の吸収シートは、前記本体部の前記裏面に、前記本体部を前記差込み便器の側面に着脱可能に接合する第２の接合部が設けられていることを特徴とする。
【００１１】
また、本発明の吸収シートは、前記差込み便器が、前記凹部から挿入方向に対して前記差込み案内部の反対側に設けられた把持部をさらに含み、前記本体部は、前記差込み便器に装着されたとき、前記把持部に重なるように延びていることを特徴とする。
【発明の効果】
【００１２】
本発明の吸収シートによれば、本体部と折返し片との間に、差込み便器の差込み案内部を挿入して、差込み便器を吸収シートとともに、ベッドなどの支持面に仰臥する使用者と支持面との間の狭い隙間に挿入することができる。排泄が終わると、差込み便器を吸収シートとともに使用者と支持面との間から引き抜いて取り出し、使用後の吸収シートを差込み便器から取外し、たとえば汚物用容器または汚物用袋などに収容して、差込み便器に装着されている吸収シート上の排泄物を、容易に処分することができる。このように、吸収シートによって差込み便器を汚損することなしに、排泄物を簡便に回収して処分することができる。
【００１３】
さらに、本発明の吸収シートは、折返し片の両側部が本体部の裏面に固定されて、折返し片によって本体部の裏面に凹所が形成され、この凹所に前記差込み案内部を挿入することができるので、吸収シートが装着された差込み便器を使用者と支持面との間に挿入するとき、吸収シートが差込み便器から外れることを効果的に防止することができる。
【００１４】
本発明の吸収シートは、本体部の裏面が、第１の接合部によって凹部の底面に接合されているので、差込み便器に装着されている吸収シートに使用者または支持面などが接触しても、本体部が前記凹部の底面からずれてしまうことが防がれ、差込み便器を使用者と支持面との間に容易かつ確実に挿入し、または抜き取ることができる。
【００１５】
本発明の吸収シートは、本体部の裏面が、第２の接合部によって差込み便器の側面に接合されているので、差込み便器に装着されている吸収シートに使用者または支持面などが接触しても、本体部が差込み便器の側面からずれてしまうことが防がれ、差込み便器を使用者と支持面との間に容易かつ確実に挿入し、または取り出すことができる。
【００１６】
また、本発明の吸収シートは、把持部に重なるように延びているので、吸収シートとともに把持部を把持して、差込み便器を、使用者と支持面との間から取り出すことができ、吸収シートが差込み便器から外れることを防止し、さらに、ずれおよび弛みなどを防止することができる。
【図面の簡単な説明】
【００１７】
【図１】本発明の第１実施形態の差込み便器に吸収シートを装着した状態の斜視図である。
【図２】図１の切断面線Ａ−Ａから見た断面図である。
【図３】差込み便器の斜視図である。
【図４】吸収シートの底面図である。
【図５】吸収シートを図４の矢視Ｂから見た側面図である。
【図６】吸収シートを図４の切断面線Ｃ−Ｃから見た拡大断面図である。
【図７】吸収シートを図４の切断面線Ｄ−Ｄから見た拡大断面図である。
【図８Ａ】吸収シートの廃棄手順を示す模式図である。
【図８Ｂ】吸収シートの廃棄手順を示す模式図である。
【図９Ａ】吸収シートの廃棄手順を示す模式図である。
【図９Ｂ】吸収シートの廃棄手順を示す模式図である。
【図１０】本発明の第２実施形態の吸収シートの底面図である。
【図１１】本発明の第３実施形態の吸収シートの底面図である。
【図１２】本発明の第４実施形態の差込み便器に吸収シートを装着した状態の斜視図である。
【図１３】本発明の第５実施形態の差込み便器に吸収シートを装着した状態の斜視図である。
【図１４】本発明の第６実施形態の吸収シートの平面図である。
【図１５】本発明の差込み便器に第６実施形態の吸収シートを装着した状態の斜視図である。
【発明を実施するための形態】
【００１８】
第１実施形態に係る吸収シート１について説明する。図１は、差込み便器２に吸収シート１を装着した状態の斜視図である。図２は、図１の切断面線Ａ−Ａから見た断面図である。図３は、差込み便器２の斜視図である。図４は吸収シート１の底面図であり、図５は吸収シート１の図４の矢視Ｂから見た側面図である。図６は吸収シート１を図４の切断面線Ｃ−Ｃから見た拡大断面図である。図７は吸収シート１を図４の切断面線Ｄ−Ｄから見た拡大断面図である。なお、図６および図７は図解を容易にするため、吸収シート１を厚み方向に拡大して示している。
【００１９】
吸収シート１は、仰臥する使用者を支持するベッドなどの略水平な支持面と、支持面に仰臥する使用者との間に挿入して、使用者の排泄物を回収するために用いられる、ベッドパンとも呼ばれる差込み便器２に装着される。本実施形態において、支持面はベッドまたは布団などに敷設された布シーツ、防水シートなどであり、吸収シート１を装着した差込み便器２に対して高い摩擦係数を有するが、吸収シート１の本体部１１と折返し片１２との間に差込み案内部４が挿入されているので、支持面に吸収シート１が摺接しても、差込み便器２から吸収シート１が外れてしまうことを防止することができる。使用者が床ずれを起こしている場合でも、床ずれの部分には吸収シート１の表面シートが当接するので、床ずれの部分を傷つけることなく差込み便器２を差込むことができる。
【００２０】
差込み便器２は、ポリオレフィン系樹脂のポリエチレン（ＰＥ）、ポリプロピレン（ＰＰ）、ポリエステル系樹脂のポリエチレン−テレフタレート（ＰＥＴ）等のプラスチック材料で一体成形されるが、これに限定されるものではなく、ステンレス等の金属板を用いたプレス加工によって形成することもできる。差込み便器２の上面には、上方に開口し排泄物を収容するための凹部３が形成され、さらに差込み便器２の挿入方向Ｘの先端に、支持面と支持面に仰臥する使用者との間に挿入する差込み案内部４が設けられている。差込み便器２の挿入方向Ｘの後端には、差込み便器２を持ち運ぶための把持部５が設けられている。把持部５は凹部３の周縁部６の後部に設けられている。
【００２１】
差込み便器２の上面７は、挿入方向Ｘの後端から挿入方向Ｘの先端に向かって斜め下方に傾斜しており、差込み案内部４は、挿入方向Ｘの後部に比べて、上下方向の厚みｔが小さくされている。差込み便器２は、平面視で、挿入方向Ｘの先端に向かって凸に湾曲して幅狭に形成されている。
【００２２】
差込み案内部４の挿入方向Ｘの長さｕは、７５ｍｍ以上１５０ｍｍ未満とされている。差込み案内部４の挿入方向Ｘの長さｕが７５ｍｍ未満であると、差込み案内部４が短いので、支持面と支持面に仰臥する使用者との間に差込み案内部４を徐々に差し込みにくく、支持面と支持面に仰臥する使用者との間に、差込み便器２の凹部３を位置させるための隙間を確保しにくくなる。
【００２３】
差込み案内部４の挿入方向Ｘの長さｕが１５０ｍｍ以上であると、差込み案内部４を支持面と支持面に仰臥する使用者との間に差し込まれる差し込み長さが大きくなり、差込み案内部４を支持面と使用者との間に差し込む手間が掛かり、好ましくない。
【００２４】
吸収シート１は、表面シートと裏面シートとの間に吸収体が介在されて構成され、平面視で差込み便器２よりも幅および長さが大きく、たとえば６００ｍｍ×４００ｍｍの長方形に形成され、周縁部が熱シールまたはホットメルトシールによって接合されている。
【００２５】
表面シートは、可撓性かつ液透過性のシートであればよく、たとえば合成繊維および再生繊維からなる繊維シートまたは繊維ウェッブの繊維同士を物理的に交絡させて形成される不織布などを用いることができる。具体的には、表面シートは、不織布、織布、多孔性プラスチックフィルムなどを用いて形成することができる。不織布および織布の構成繊維としては、ポリプロピレン、ポリエチレン、ポリエステル、ナイロンなどの単繊維、またはポリエステル、ポリプロピレン、ポリエチレン、ナイロンなどの２成分以上からなる複合繊維などであり、ポリエステルとポリエチレンとの複合繊維、ポリプロピレンとポリエチレンとの複合繊維などが強度の面から好ましい。
【００２６】
裏面シートは、可撓性かつ液不透過性のシートなどを用いて形成することができる。具体的には、裏面シートは、ポリエチレンなどの液不透過性フィルム、液不透過性フィルムと不織布あるいは織布を貼り合わせた素材などを用いて形成することができる。また、液体を透過させない程度の多数の微小な透孔を設けたポリエチレン製フィルム、熱可塑性樹脂にフィラーを加えて延伸した透湿性のあるフィルム、あるいはこれらのフィルムの外側に不織布、織布を貼り合わせた複合シートを用いて裏面シートを形成してもよい。
【００２７】
吸収体は、たとえば綿状粉砕されたフラッフ状繊維と、尿を吸収しゲル状に固化させる吸収性ポリマとが混合された材料をシート状に形成し、厚み方向の両側にティッシュを積層することによって形成される。吸収性ポリマは、たとえばデンプン‐アクリル酸（塩）グラフト共重合体のケン化物、ナトリウムカルボキシメチルセルロースの架橋物、アクリル酸（塩）重合体などを用いることできる。
【００２８】
吸収シート１は、差込み便器２の凹部３の開口１０を覆うように凹部３および差込み案内部４に装着され、排泄物の水分を吸収する本体部１１と、本体部１１の裏面側に折返された状態で本体部１１に連なる折返し片１２と、を有する。折返し片１２は、両側部１３が本体部１１の裏面に、熱シールまたはホットメルトシールによって接合されている。
【００２９】
本実施形態においては、折返し片１２の両側部１３は、折返し長さの全長が熱シールまたはホットメルトシールによって接合されているが、たとえば、折返し片１２の端部１５から所定の長さだけ熱シールまたはホットメルトシールによって接合することもできる。あるいは、折返し片１２の端部１５の近傍だけを熱シールまたはホットメルトシールによって接合してもよい。
【００３０】
差込み案内部４の挿入方向Ｘの長さｕは、７５ｍｍ以上１５０ｍｍ未満としており、差込み案内部４が挿入される折返し片１２の折返し長さｗは、８０ｍｍ以上１４０ｍｍ未満が好適である。このようにすると、吸収シート１が装着された差込み便器２を、支持面と仰臥する使用者との間に挿入しやすくなり、使用者の肌に対する負担を軽減することができる。折返し片１２の折返し長さｗが、８０ｍｍ未満であると、吸収シート１が装着された差込み便器２を、支持面と、支持面に仰臥する使用者との間に挿入する際に、吸収シート１が使用者や支持面と接触して、折返し片１２が差込み案内部４から離脱することがある。
【００３１】
折返し片１２の折返し長さｗが、１４０ｍｍ以上であると、差込み便器２の差込み案内部４とともに、凹部３の一部が、本体部１１と折返し片１２との間に挿入されるようになり、吸収シート１を凹部３に沿わせて装着させにくくなるとともに、吸収シート１の折返し片１２を差込み案内部４から取り外しにくくなる。
【００３２】
尿器やポータブルトイレなどを、ベッドパン洗浄機を使用せず、洗浄および消毒をする場合には、尿器やポータブルトイレなどを、水を流しながら洗剤で洗浄した後、たとえば濃度が１０００ｐ．ｐ．ｍ．の次亜鉛素酸ナトリウム溶液に３０分程度浸漬しており、介護者は消毒液暴露に晒される危険性があるが、本実施形態のように、差込み便器２に吸収シート１を装着して使用する場合には、差込み便器２を使用する度に差込み便器２を消毒しなくてもよいので、介護者が消毒液暴露に晒されることが抑制され、差込み便器２の洗浄および消毒に要する手間を省くことができ、短時間で差込み便器２の清浄化を行なうことができる。
【００３３】
したがって、予め準備されるべき差込み便器２の設置台数を減らすことができ、コスト削減に繋がる。吸収シート１の吸収体が液状の排泄物を吸収することで排泄物の臭いの拡散を抑えることができる。排泄物は、吸収シート１に収容されており、差込み便器２に触れないので、差込み便器２がポリオレフィン樹脂製の成形物であるとき、差込み便器２に便の臭いが残ることを防ぐことができる。
【００３４】
吸収シート１は高い液吸収性を有しており、吸収シート１を使用することで、尿の跳ね返りを抑えることができる。吸収シート１から排泄物が飛散することを防止することができるので、排泄物が飛散して周囲を汚損することが防がれ、院内感染が発生する危険性を低減することもできる。
【００３５】
尿器やポータブルトイレなどを、熱水で洗浄および消毒するベッドパン洗浄機の場合には、尿器やポータブルトイレに付着した便を短時間で確実に洗い落とすために、ベッドパン洗浄機には、たとえば１１個の多数の噴射ノズルが必要となり、尿器やポータブルトイレなどを洗浄および消毒をするための設備コストが増大するが、本実施形態では、差込み便器２の洗浄および消毒を行なわないので、差込み便器２の洗浄および消毒を行なうためのコストが増大することはない。
【００３６】
折返し片１２は、必ずしも防水材と吸収材と不織布との３層構造とする必要はなく、たとえば防水材と不織布との２層構造とすることができ、あるいは防水材だけの１層構造とすることができる。
【００３７】
ここで、吸収シート１の廃棄手順について説明する。図８Ａ（ａ），図８Ａ（ｂ），図８Ｂ（ｃ），図８Ｂ（ｄ）は、排泄物が付着した本体部１１を平板状に折り畳んで廃棄する廃棄手順を示す模式図である。図９Ａ（ａ），図９Ａ（ｂ），図９Ｂ（ｃ），図９Ｂ（ｄ）は、排泄物が付着した本体部１１を筒状に巻いて廃棄する廃棄手順を示す模式図である。
【００３８】
図８Ａ（ａ），図８Ａ（ｂ），図８Ｂ（ｃ），図８Ｂ（ｄ）に基づいて、吸収シート１を平板状に折り畳んで廃棄する場合について説明する。図８Ａ（ａ）に示す、差込み便器２に装着された吸収シート１は、排泄物が付着した表面シート６１が内側に折り込まれるように、本体部１１が、挿入方向Ｘの後方側から折り畳まれて、平板状の２段重ね部６２が形成される。２段重ね部６２は、図８Ａ（ｂ）に示すように、さらに吸収シート１の挿入方向Ｘに折り畳まれる。そして、図８Ｂ（ｃ）の矢印６５に示すように、２段重ね部６２の、挿入方向Ｘの前部６３を、本体部１１と折返し片１２とを繋ぐ接続部６４に押し付け、折返し片１２によって構成され差込み便器２が挿入される袋状部６６を、矢印６７に沿って、表裏が逆さまになるように裏返す。そうすると、図８Ｂ（ｄ）に示すように、２枚重ね部６２が、簡便に、表裏逆さまに折り返された袋状部６６に、収容される。
【００３９】
次に、図９Ａ（ａ），図９Ａ（ｂ），図９Ｂ（ｃ），図９Ｂ（ｄ）に基づいて、吸収シート１を筒状に巻いて廃棄する場合について説明する。図９Ａ（ａ）に示す、差込み便器２に装着された吸収シート１は、図９Ａ（ｂ）に示すように、排泄物が付着した表面シート６１が内側になるように、本体部１１を、挿入方向Ｘの後方側から袋状部６６の手前まで巻き取り、巻き取り部７２が形成される。図９Ｂ（ｃ）の矢印６５に示すように、巻き取り部７２の挿入方向Ｘの前部７３を、本体部１１と折返し片１２とを繋ぐ接続部６４に押し付け、折返し片１２によって構成され、差込み便器２が挿入される袋状部６６を、矢印６７に沿って、表裏が逆さまになるように裏返す。そうすると、図９Ｂ（ｄ）に示すように、巻き取り部７２が、簡便に、表裏逆さまになるように裏返された袋状部６６に収容される。
【００４０】
このような処理手順によると、吸収シート１を、排泄物が付着した表面シート６１が内側になるようにコンパクトに折畳んで、簡便に廃棄することができる。
【００４１】
図１０は、本発明の第２実施形態に係る吸収シート２１の底面図である。なお、第１実施形態と重複する部分については説明を省略し、同一の参照符を用いる。吸収シート２１では、吸収シート１の前部両隅が、折返し線２６で、折返し片１２同士が重なるように斜めに折り返され、たとえば折返し片１２に熱シールまたはホットメルトシールによって接合されている。
【００４２】
本体部１１と折返し片１２との間に挿入される差込み案内部４の先端角部２５（図３参照）が、挿入方向に向かって幅狭となる２つの折返し線２６に当接することによって、吸収シート２１の先端部を差込み案内部４に確実に位置決めして、安定した状態で差込み便器２に装着することができる。
【００４３】
本発明の第３実施形態に係る吸収シート３１について説明する。前述の第１実施形態または第２実施形態の説明と重複する部分については説明を省略し、同一の参照符を用いる。図１１は吸収シート３１の底面図である。
【００４４】
折返し片１２は、両側部１３が本体部１１の裏面に、たとえば両面テープ３２を用いて着脱可能に接合される。このようにすると、折返し片１２を本体部１１に熱シールまたはホットメルトシールによって接合した場合と比べて、両面テープ３２を剥がして吸収シート３１の折返し片１２を差込み案内部４から取り外すことができるので、本体部１１を挿入方向先端に向かって移動させる必要がなく、本体部１１を移動させるとき、排泄物が吸収シート３１の外部に洩れることを防止することができる。また、折返し片１２を本体部１１に熱シールまたはホットメルトシールによって接合する場合と比べて、製造工程を簡略にすることができる。
【００４５】
本発明の第４実施形態に係る吸収シート４１について説明する。前述の第１実施形態〜第３実施形態と重複する部分については説明を省略し、同一の参照符を用いる。図１２は、第４実施形態の差込み便器２に吸収シート４１を装着した状態の斜視図である。差込み便器２を、支持面と支持面に仰臥する使用者との間に挿入するとき、吸収シート４１が使用者または支持面に接触すると、本体部１１が挿入方向Ｘに対して差込み便器２の後方側に引っ張られる。また差込み便器２を、支持面と使用者との間から取り出すとき、吸収シート４１が使用者または支持面に接触すると、本体部１１が差込み便器２の挿入方向Ｘに引っ張られ、ずれを生じる。
【００４６】
本実施形態においては、吸収シート１の本体部１１の裏面に、差込み便器２の凹部３の底面に着脱可能に接合する第１の接合部４２が設けられており、第１の接合部４２を凹部３の底面４３に接合して、本体部１１を差込み便器２の凹部３に固定することができる。これによって、凹部３から本体部１１が浮き上がり、あるいはずれることを防止することができる。
【００４７】
第１の接合部４２は着脱可能であるので、凹部３に収容された排泄物を処理する場合には、第１の接合部４２を凹部３から剥がして、排泄物を吸収シート４１とともに簡単に処理することができる。第１の接合部４２は１つに限定されるものではなく、複数の第１の接合部４２を設けてもよい。
【００４８】
本発明の第５実施形態に係る吸収シート５１について説明する。第１実施形態〜第４実施形態の説明と重複する部分については説明を省略し、同一の参照符を用いる。図１３は、第５実施形態の差込み便器２に吸収シート５１を装着した状態の斜視図である。本体部１１の裏面には、本体部１１を差込み便器２の側面に着脱可能に接合する第２の接合部５２が設けられている。第２の接合部５２を差込み便器２の側面５３に接合して、本体部１１を差込み便器２の側面５３に固定することができる。これによって、差込み便器２を、支持面と支持面に仰臥する使用者との間に挿入するとき、あるいは差込み便器を、支持面と使用者との間から取り出すときに、差込み便器２に装着された吸収シート５１がずれることを防止することができる。
【００４９】
第２の接合部５２を差込み便器２の後面５５に設けて、本体部１１の後端部を差込み便器２の後面５５に固定した場合には、差込み便器２を、支持面と使用者との間から取り出すとき、差込み便器２に装着された吸収シート５１がずれて、本体部１１と折返し片１２との間に挿入されている差込み案内部４が、本体部１１と折返し片１２との間から抜け出すことを効果的に防止することができる。
【００５０】
吸収シート５１は、差込み便器２に装着されたとき、本体部１１が、凹部３から挿入方向Ｘに対して反対側に設けられた把持部５に重なるように延びているので、把持部５とともに吸収シート５１を把持して、差込み便器２を、使用者と支持面との間から取り出して、吸収シート５１が差込み便器２から外れないようにすることができる。
【００５１】
本実施形態では、吸収シート５１が把持部５に重なるように延びているが、これに限定されるものではなく、たとえば吸収シート５１の後端部に切り込みを形成して、把持部５を切り込みに挿通させて吸収シート５１を係止することもできる。
【００５２】
本発明の第６実施形態に係る吸収シート６１について説明する。第１実施形態〜第５実施形態の説明と重複する部分については説明を省略し、同一の参照符を用いる。図１４は、第６実施形態の吸収シート８１の平面図である。図１５は、第６実施形態の吸収シート８１を差込み便器２に装着した状態の斜視図である。
【００５３】
吸収シート８１は、差込み便器２の凹部３の開口１０を覆うように凹部３および差込み案内部４に装着されるが、吸収シート８１の本体部１１のうち、凹部３および差込み案内部４を覆う領域８２は、表面シートと裏面シートとの間に介在する吸収体が２層が重ねられた構成とされている。ベッドなどの支持面と、支持面に仰臥した使用者との間に吸収シート８１が断熱層として介在することになり、使用者が冷たく感じることを緩和することができる。
【００５４】
本発明の吸収シートの形状は、平面視で長方形に限るものではなく、装着される差込み便器の形状に対応した任意の形状が可能であり、たとえば差込み便器を平面視したときの平面への投影形状において、その投影面積の１．１〜１．６倍の投影面積を有する略相似形状であってもよい。
【００５５】
また上記の各実施形態の吸収シート１，２１，３１，４１，５１の吸収体に、抗菌剤、殺菌剤、臭い吸収剤、芳香剤などが選択的に添加されてもよい、吸収体に抗菌剤または殺菌剤が添加されることによって、使用前の吸収シートの菌の繁殖および菌による汚染を防止することができる。また、吸収体に臭い吸収剤が添加されることによって、排泄物は放出された悪臭を緩和することができる。また、吸収体に芳香剤が添加されることによって、排泄物から放たれる悪臭を緩和することができる。
【００５６】
また本発明のさらに他の実施形態では、本体部１１は上記のように防水材と吸収材と不織布との３層構造とし、折返し片１２は吸収材を用いずに防水材と不織布との２層構造であってもよい。これによって吸収材の使用量を低減することができる。また吸収材が入っていない、防水材と不織布との２層構造は、３層構造の本体部１１とは色が異なるので、差込み便器２への装着部分、すなわち折返し片１２がどこであるかを介護者などに容易に示すことができ、使用上の利便性が向上される。
【００５７】
上記の各実施形態では、使用者が仰臥した姿勢でベッドなどの支持面に臥した状態で排泄物を回収する場合について述べたが、本発明の他の実施形態では、横臥位、座位の姿勢においても、差込み便器２に本発明に係る吸収シートを装着して、排泄物の回収に用いるようにしてもよい。
【符号の説明】
【００５８】
１，２１，３１，４１，５１，８１  吸収シート
２  差込み便器
３  凹部
４  差込み案内部
５  把持部
６  周縁部
７  上面
１０  開口
１１  本体部
１２  折返し片
１３，２２  両側部
１５  端部
２３  角部
２５  先端角部
２６  折返し線
３２  両面テープ
４２  第１の接合部
４３  底面
５２  第２の接合部
５３  側面
５５  後面
６１  表面シート
６２  ２段重ね部
６３，７３  前部
６４  接続部
６５，６７  矢印
６６  袋状部
７２  巻き取り部
【図１】
2018139632.tif 000003
【図２】
2018139632.tif 000004
【図３】
2018139632.tif 000005
【図４】
2018139632.tif 000006
【図５】
2018139632.tif 000007
【図６】
2018139632.tif 000008
【図７】
2018139632.tif 000009
【図８Ａ】
2018139632.tif 000010
【図８Ｂ】
2018139632.tif 000011
【図９Ａ】
2018139632.tif 000012
【図９Ｂ】
2018139632.tif 000013
【図１０】
2018139632.tif 000014
【図１１】
2018139632.tif 000015
【図１２】
2018139632.tif 000016
【図１３】
2018139632.tif 000017
【図１４】
2018139632.tif 000018
【図１５】
2018139632.tif 000019
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
支持面と、前記支持面に仰臥する使用者との間に挿入して、使用者の排泄物を回収するために用いられる差込み便器であって、排泄物を収容するための凹部と、前記凹部から挿入方向に突出する先細状の差込み案内部と、を有する差込み便器に装着される吸収シートであって、
前記吸収シートは、
前記凹部の開口が覆われるように前記凹部に装着される部分および前記差込み案内部に装着される部分を有し、排泄物の水分を吸収する本体部と、
前記本体部に、前記本体部の裏面側に折返された状態で連なる折返し片と、を有し、
前記本体部と前記折返し片との間に、前記差込み案内部が挿入された状態で、前記差込み便器に装着され、
前記折返し片は、前記挿入方向に垂直な幅方向の両側部が前記本体部の裏面に固定されており、
前記本体部の前記差込み案内部に装着される部分と、前記折返し片とによって、前記差込み案内部が挿入される袋状部が構成され、
前記本体部を、表面が内側に折り込まれるように、前記挿入方向の後方側から、前記折返し片の両側部が固定される位置まで折り畳んで、表裏が逆になるように折返した前記袋状部に収容可能であることを特徴とする吸収シート。
【請求項２】
前記本体部の前記裏面には、前記凹部の底面に着脱可能に接合する第１の接合部が設けられていることを特徴とする請求項１に記載の吸収シート。
【請求項３】
前記本体部の前記裏面には、前記本体部を前記差込み便器の側面に着脱可能に接合する第２の接合部が設けられていることを特徴とする請求項１または２に記載の吸収シート。
【請求項４】
前記差込み便器は、前記凹部から挿入方向に対して前記差込み案内部の反対側に設けられた把持部をさらに含み、前記本体部は、前記差込み便器に装着されたとき、前記把持部に重なるように延びていることを特徴とする請求項１〜３のいずれか１つに記載の吸収シート。
【手続補正２】
【補正対象書類名】明細書
【補正対象項目名】０００７
【補正方法】変更
【補正の内容】
【０００７】
本発明の吸収シートは、  支持面と、前記支持面に仰臥する使用者との間に挿入して、使用者の排泄物を回収するために用いられる差込み便器であって、排泄物を収容するための凹部と、前記凹部から挿入方向に突出する先細状の差込み案内部と、を有する差込み便器に装着される吸収シートであって、
前記吸収シートは、
前記凹部の開口が覆われるように前記凹部に装着される部分および前記差込み案内部に装着される部分を有し、排泄物の水分を吸収する本体部と、
前記本体部に、前記本体部の裏面側に折返された状態で連なる折返し片と、を有し、
前記本体部と前記折返し片との間に、前記差込み案内部が挿入された状態で、前記差込み便器に装着され、
前記折返し片は、前記挿入方向に垂直な幅方向の両側部が前記本体部の裏面に固定されており、
前記本体部の前記差込み案内部に装着される部分と、前記折返し片とによって、前記差込み案内部が挿入される袋状部が構成され、
前記本体部を、表面が内側に折り込まれるように、前記挿入方向の後方側から、前記折返し片の両側部が固定される位置まで折り畳んで、表裏が逆になるように折返した前記袋状部に収容可能であることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００１２
【補正方法】変更
【補正の内容】
【００１２】
また本発明の吸収シートによれば、  本発明の吸収シートによれば、本体部と折返し片との間に、差込み便器の差込み案内部を挿入して、差込み便器を吸収シートとともに、ベッドなどの支持面に仰臥する使用者と支持面との間の狭い隙間に挿入することができる。排泄が終わると、差込み便器を吸収シートとともに使用者と支持面との間から引き抜いて取り出し、使用後の吸収シートを差込み便器から取外し、たとえば汚物用容器または汚物用袋などに収容して、差込み便器に装着されている吸収シート上の排泄物を、容易に処分することができる。このように、吸収シートによって差込み便器を汚損することなしに、排泄物を簡便に回収して処分することができる。折返し片は、挿入方向に垂直な幅方向の両側部が本体部の裏面に固定されており、本体部の差込み案内部に装着される部分と、折返し片とによって、差込み案内部が挿入される袋状部が構成され、本体部を、表面が内側に折り込まれるように、挿入方向の後方側から、折返し片の両側部が固定される位置まで折り畳んで、表裏が逆になるように折返した袋状部に収容可能であり、吸収シートを、排泄物が付着した表面が内側となるように折り畳んで袋状部内へ収容し、簡便に廃棄することができる。